(57)【特許請求の範囲】
【請求項１】
原稿を照射する棒状の光源と前記光源からの光を電気信号に変換する光センサとを有し、原稿面に対して平行に往復運動可能なキャリッジを備える画像読み取り装置であって、
前記キャリッジは、前記光源を挟持する挟持部を有するキャリッジ蓋と、前記光源を位置決めする位置決め部を有するキャリッジ本体とから構成されることを特徴とする画像読み取り装置。
【請求項２】
前記光源は前記挟持部に圧入して固定されることを特徴とする請求項１記載の画像読み取り装置。
【請求項３】
前記位置決め部は、前記光源の挟持方向および前記光源の軸方向に対して垂直な方向への移動を規制する突起を備えることを特徴とする請求項１または２のいずれかに記載の画像読み取り装置。
【発明の詳細な説明】
【０００１】
【発明の属する技術分野】
本発明は、画像読み取り装置に関する。
【０００２】
【従来の技術】
画像読み取り装置は、例えばフラットベッド型の場合、箱型の筐体の上面に、ガラス等の透明板からなる原稿台が設けられている。筐体の内部には、駆動装置により原稿台に平行に移動するキャリッジが設けられる。このキャリッジには、光源と多数の光電変換素子を並べたラインセンサとが搭載されている。光源の照射光は原稿台上の原稿表面で反射され、集光レンズによりラインセンサに集光されるようになっている。
【０００３】
画像を読み取るときは、原稿台に置かれた原稿に光源から光を照射し、原稿からの反射光または透過光を集光レンズによりラインセンサに集光し、キャリッジを移動させつつ検出して原稿の濃淡を電気信号に変換する。
【０００４】
上記のような画像読み取りのための光源としては、棒状のランプが用いられている。このランプをキャリッジに取り付け固定する場合、従来は板金部材の止め具を用いてねじの締め付けにより固定していた。
【０００５】
【発明が解決しようとする課題】
ところが、上記のような止め具を用いて光源を読み取り装置本体のキャリッジ内に取り付け固定する場合は、止め具やねじ等の細かい部品の点数が増加するという問題があった。
【０００６】
本発明の目的は、光源をキャリッジに取り付ける作業が容易に行なえる構造の画像読み取り装置を提供することにある。
【０００７】
【課題を解決するための手段】
本発明の請求項１に記載の画像読み取り装置によると、キャリッジは、上部のキャリッジ蓋と下部のキャリッジ本体とから構成されており、キャリッジ蓋に棒状の光源を挟持する挟持部が形成されている。また、キャリッジ本体には、光源の位置決めをする位置決め部が形成されており、光源が挟持されたキャリッジ蓋とキャリッジ本体を一体化させることにより、簡単な構造で光源をキャリッジに固定することができる。
【０００８】
本発明の請求項２に記載の画像読み取り装置によると、光源はキャリッジ蓋の挟持部に圧入することで固定することができる。このとき光源は、挟持部の弾性力により保持され、ねじ等の部品の点数を減らすことができる。
【０００９】
本発明の請求項３に記載の画像読み取り装置によると、キャリッジ本体には、光源をキャリッジ蓋に挟持した方向および光源の軸方向に対して垂直な方向の位置決めをする突起を備えており、挟持部だけでは固定できない方向の動きを規制することができる。
【００１０】
【発明の実施の形態】
以下、本発明の実施の形態を示す実施例を図面に基づいて説明する。
【００１１】
図２は、フラットベッド型の画像読み取り装置を示す。
【００１２】
箱型の筐体２の上面には、ガラスなどの透明板からなる原稿台１が設けられている。筐体２の内部には、図示しない駆動装置により原稿台１に平行に移動するキャリッジ本体３が設けられ、このキャリッジ本体３に光源４とラインセンサ５とが搭載されている。光源４の照射光は原稿台１の原稿８表面で反射され、集光レンズ７によりラインセンサ５に集光されるようになっている。ラインセンサ５には、例えばＣＣＤ等の電荷蓄積型光センサが使用される。
【００１３】
本発明によるキャリッジ３は、図１に示すように上部のキャリッジ蓋１１と下部のキャリッジ本体２１とから構成されている。この図で光源は４であり、この光源4 の両端はゴム製の光源ホルダー６でおおわれ、光源の端子を保護している。そして光源ホルダー６がキャリッジ蓋１１の光源固定溝１７の両端に形成された挟持部１２、１３に挟持することで保持されている状態を示している。
【００１４】
図３は、挟持部１２を示す。光源４および光源ホルダー６は、図の上部から開口部１６を通って矢印のように挿入する。光源ホルダー６は、キャリッジ蓋１１に形成されている挟持部の上板１４と、下板１５に設けられた円形の溝に挟持され、図の上下左右方向の動きが規制される。下板１５は、図の上下方向に弾性を有しており、光源４を挿入する場合には、図の矢印方向に挿入することができ、その後は挟持部の弾性力によって光源４および光源ホルダー６を保持することができる。
【００１５】
キャリッジ蓋１１のねじ穴１８とキャリッジ本体２１のねじ穴２８の部分およびキャリッジ蓋１１のねじ穴１９とキャリッジ本体のねじ穴２９の部分を図示しないねじによってキャリッジ蓋１１とキャリッジ本体２１を固定し一体化することで光源４を確実に固定することができる。
【００１６】
図４と図５は、前記光源４および光源ホルダー６を固定した状態を示している。
【００１７】
キャリッジ蓋１１に形成されている挟持部１２の上板１４と下板１５によって保持された光源４および光源ホルダー６は、キャリッジ蓋１１とキャリッジ本体２１とを一体化することで、キャリッジ本体２１に形成されている突起部２２によってキャリッジ蓋１１で保持された方向とは別の方向から保持される。これにより、光源４および光源ホルダー６を確実に保持することができる。また図５は、キャリッジ蓋１１に形成されている挟持部１２の上板１４および下板１５と、キャリッジ本体２１に形成されている突起部２２の位置関係を示している。
【００１８】
このように固定された光源４から照射された光は、原稿８で反射し集光レンズ７を通してラインセンサ５に集光される。ラインセンサ５では、各素子で集光された光の光量に応じた量の電荷が蓄積され、蓄積された電荷は図６に示すような信号処理装置３０で処理される。Ａ／Ｄ変換部３２は、増幅器３１を介して入力したラインセンサ５からのデータをデジタル信号に変換してシェーディング補正部３３に渡すものである。シェーディング補正部３３は、読み取り開始前に白基準を読み取ったデータを用いて、ラインセンサ５の素子毎の感度のばらつきや光源４の光量のばらつきを補正する。ガンマ補正部３６では、所定のガンマ関数によりガンマ補正が行われ、シェーディング補正部３３から出力された光量信号を画像信号に変換する。その他の補正部３７では、色補正、エッジ強調および領域拡大／縮小等の諸変換を行う。
【００１９】
制御装置３４は、ＣＰＵ、ＲＡＭおよびＲＯＭ等からなるマイクロコンピュータにより構成され、画像読み取り装置全体の制御を行い、インタフェース３５を介して外部の画像処理装置、例えばパーソナルコンピュータに接続される。
【００２０】
次に、上記のように構成された画像読み取り装置の動作を説明する。
【００２１】
使用者は、この画像読み取り装置のインターフェイス３５に図示しないパーソナルコンピュータを接続し、原稿台１に原稿８を置いて、パーソナルコンピュータからの原稿読み取り範囲や読み取り解像度を指定して読み取りの実行を指令する。
【００２２】
読み取りの実行が指令されると、制御装置３４は光源４を点灯させ、キャリッジ３を各読み取りライン位置に順次移動させる。これにより、各読み取りライン位置において、原稿８の反射率に比例した量の電荷（信号電荷）がラインセンサ５に蓄積される。ラインセンサ５に蓄積された電荷は所定時間経過後に増幅器３１に出力され、ラインセンサ５は次の読み取りライン位置に移動される。
【００２３】
増幅器３１からの出力信号は、Ａ／Ｄ変換部３２によりデジタルの光量信号データに変換されて、シェーディング補正部３３、ガンマ補正部３６およびその他の補正部３７で各種の補正が行われ、インターフェイス３５を介してパーソナルコンピュータ等に出力される。
【００２４】
キャリッジ３を移動させて、各読み取りラインで上記処理を繰り返すことにより、指定した範囲の画像がパーソナルコンピュータ等に出力される。
【００２５】
本実施例によると、画像読み取り装置の光源４は、板金部材等によってねじ止め固定することなく、キャリッジ蓋１１に固定した状態でキャリッジ本体２１と一体化させることで確実に固定することができるため、部品点数を減少させることができ、光源用ランプの取り付けおよび取り外し作業を容易にすることができる。
【００２６】
また本実施例では、原稿からの反射光を読み取るフラットベッド型の画像読み取り装置について説明したが、原稿台よりも上部に光源を設け、透過原稿の透過光を読み取る画像読み取り装置であっても、まったく同様の効果を得ることができる。
【図面の簡単な説明】
【図１】本発明の実施例によるキャリッジの斜視図である。
【図２】本発明の実施例によるフラットベッド型の画像読み取り装置の一例の概略構造を示すブロック図である。
【図３】本発明の実施例によるキャリッジ蓋の光源取り付け部の説明図である。
【図４】本発明の実施例による光源取り付け部の説明図である。
【図５】本発明の実施例による光源取り付け部を図４のＶ方向から見た説明図である。
【図６】本発明による画像読み取り装置の信号処理装置の機能構成を示すブロック図である。
【符号の説明】
１    原稿台
２    筐体
３    キャリッジ本体
４    光源
５    ラインセンサ
６    光源ホルダー
７    集光レンズ
８    原稿
１１    キャリッジ蓋
１２、１３  挟持部
１４    上板
１５    下板
１６    開口部
１７    光源固定溝
１８、１９  ねじ穴
２１    キャリッジ本体
２２、２３  突起部
２８、２９  ねじ穴
３０    信号処理装置
３１    増幅器
３２    Ａ／Ｄ変換部
３３    シェーディング補正部
３４    制御装置
３５    インターフェイス
３６    ガンマ補正部
３７    その他の補正部
【図１】
0003671673.tif 000002
【図２】
0003671673.tif 000003
【図３】
0003671673.tif 000004
【図４】
0003671673.tif 000005
【図５】
0003671673.tif 000006
【図６】
0003671673.tif 000007